(57)【要約】【課題】  たとえばスライド丁番を用いる開き扉の上端部と垂れ幕板との間に介在し、簡素な構成にしたがってダンパー効果を安定的に且つ確実に発揮することのできるダンパー機構。【解決手段】  垂れ幕板（１２）の下端面にほぼ当接する形態を有し、垂れ幕板の後側面に取り付けられたブラケット（１ａ）と、ブラケットの前方部（１ａｃ）に取り付けられて前後方向に動作するダンパー（１ｂ）とを備えている。ブラケットは、垂れ幕板の厚さの変化にかかわらずダンパーの取付け位置と垂れ幕板の前面との前後方向に沿った位置関係をほぼ一定に調整するための調整部材（１ｃ）を有する。【選択図】  図１
2006063601.tif 000002
【特許請求の範囲】
【請求項１】
開き扉の上端部と垂れ幕板との間に介在するダンパー機構において、
前記垂れ幕板の下端面にほぼ当接する形態を有し、前記垂れ幕板の後側面に取り付けられたブラケットと、
前記ブラケットの前方部に取り付けられて前後方向に動作するダンパーとを備えていることを特徴とするダンパー機構。
【請求項２】
前記ブラケットは、前記垂れ幕板の厚さの変化にかかわらず前記ダンパーの取付け位置と前記垂れ幕板の前面との前後方向に沿った位置関係をほぼ一定に調整するための調整部材を有することを特徴とする請求項１に記載のダンパー機構。
【請求項３】
前記調整部材は、前記垂れ幕板の後側面と前記ブラケットとの間に介在するプレート部材を有することを特徴とする請求項２に記載のダンパー機構。
【請求項４】
前記ブラケットは、前記垂れ幕板の下端面に当接する第１ブラケット部材と、前記垂れ幕板の後側面に当接する第２ブラケット部材とを有し、
前記調整部材は、前記第１ブラケット部材と前記第２ブラケット部材との前後方向に沿った位置関係を調整しつつ前記第１ブラケット部材と前記第２ブラケット部材とを連結するための連結部材を有することを特徴とする請求項２に記載のダンパー機構。
【発明の詳細な説明】
【技術分野】
【０００１】
本発明は、開き扉用のダンパー機構に関し、特に開き扉の上端部と垂れ幕板との間に介在するダンパー機構に関するものである。
【背景技術】
【０００２】
キャビネットの開き扉には、扉が閉まるときの最後の動作を付勢する機能を有するスライド丁番が用いられていることが多い。この場合、スライド丁番の付勢力に起因して、扉が最後にバタンという音を立てて閉まり易い。そこで、スライド丁番を用いる開き扉には、スライド丁番の付勢力に抗して扉が静かに閉まるように、いわゆるダンパー機構が取り付けられている。
【０００３】
一般に、開き扉用のダンパー機構は、奥行き方向（すなわち前後方向）に長い形態になるため、たとえばキャビネットの側板の内側面や天板の下側面や底板の上側面などに取り付けられている（たとえば特許文献１を参照）。
【特許文献１】実開平１−９２４８９号公報
【発明の開示】
【発明が解決しようとする課題】
【０００４】
ところで、たとえばキッチンユニットや洗面化粧台のベースキャビネットでは、開き扉の上端部が天板ではなく垂れ幕板に向かって閉じる構成になっている。この場合、垂れ幕板の奥行き寸法が小さすぎて（たとえば１５ｍｍ〜２０ｍｍ程度）、垂れ幕板の下端面に従来のダンパー機構を従来の手法で取り付けることはできなかった。
【０００５】
もちろん、垂れ幕板の下端部に補強金物を介して取付け用の木片を付設し、この取付け用木片に従来のダンパー機構を取り付けることは可能である。しかしながら、この場合、部材点数、加工工数などが増えてコストアップの要因になるだけでなく、ダンパー効果を安定的に且つ確実に発揮することのできる堅牢な構成を実現することが困難である。
【０００６】
本発明は、前述の課題に鑑みてなされたものであり、たとえばスライド丁番を用いる開き扉の上端部と垂れ幕板との間に介在し、簡素な構成にしたがってダンパー効果を安定的に且つ確実に発揮することのできるダンパー機構を提供することを目的とする。
【課題を解決するための手段】
【０００７】
前記課題を解決するために、本発明では、開き扉の上端部と垂れ幕板との間に介在するダンパー機構において、
前記垂れ幕板の下端面にほぼ当接する形態を有し、前記垂れ幕板の後側面に取り付けられたブラケットと、
前記ブラケットの前方部に取り付けられて前後方向に動作するダンパーとを備えていることを特徴とするダンパー機構を提供する。
【０００８】
本発明の好ましい態様によれば、前記ブラケットは、前記垂れ幕板の厚さの変化にかかわらず前記ダンパーの取付け位置と前記垂れ幕板の前面との前後方向に沿った位置関係をほぼ一定に調整するための調整部材を有する。この場合、前記調整部材は、前記垂れ幕板の後側面と前記ブラケットとの間に介在するプレート部材を有することが好ましい。
【０００９】
あるいは、この場合、前記ブラケットは、前記垂れ幕板の下端面に当接する第１ブラケット部材と、前記垂れ幕板の後側面に当接する第２ブラケット部材とを有し、前記調整部材は、前記第１ブラケット部材と前記第２ブラケット部材との前後方向に沿った位置関係を調整しつつ前記第１ブラケット部材と前記第２ブラケット部材とを連結するための連結部材を有することが好ましい。
【発明の効果】
【００１０】
本発明では、たとえばキッチンユニットや洗面化粧台のベースキャビネットにおいて開き扉の上端部と垂れ幕板との間に介在するダンパー機構が、垂れ幕板の下端面にほぼ当接する形態を有し、垂れ幕板の後側面に取り付けられたブラケットと、ブラケットの前方部に取り付けられて前後方向に動作するダンパーとを備えている。
【００１１】
このように、本発明では、前後方向（奥行き方向）に動作するダンパーを保持して前後方向に比較的長い形態のブラケットを、垂れ幕板の奥行き寸法の小さい下端面ではなく、取付けのための比較的広い領域が確保可能な垂れ幕板の後側面に取り付ける構成を採用している。その結果、本発明のダンパー機構では、垂れ幕板の後側面にブラケットが安定的に且つ確実に取り付けられるので、たとえば従来技術における補強金物や取付け用の木片などの付設部材を全く用いることなく、簡素な構成にしたがってダンパー効果を安定的に且つ確実に発揮することができる。
【００１２】
なお、本発明では、垂れ幕板の厚さの変化にかかわらずダンパーの取付け位置と垂れ幕板の前面との前後方向に沿った位置関係をほぼ一定に調整するための調整部材を有することが好ましい。この構成により、たとえばキャビネットタイプに応じて垂れ幕板の厚さすなわち奥行き寸法が変化しても、異なる複数のタイプのダンパー機構を使い分ける必要がなく、製造コストの低減および施工の簡略化などを図ることができる。
【００１３】
ちなみに、構成が簡素なタイプの調整部材として、垂れ幕板の後側面とブラケットとの間に介在するプレート部材を用いることができる。また、調整自由度が大きいタイプの調整部材として、垂れ幕板の下端面に当接する第１ブラケット部材と垂れ幕板の後側面に当接する第２ブラケット部材との前後方向に沿った位置関係を調整しつつ第１ブラケット部材と第２ブラケット部材とを連結する連結部材を用いることができる。
【発明を実施するための最良の形態】
【００１４】
本発明の実施形態を、添付図面に基づいて説明する。
図１は、本発明の実施形態にかかるダンパー機構がキャビネットの垂れ幕板に取り付けられた様子を概略的に示す図である。また、図２は、本実施形態にかかるダンパー機構の構成を概略的に示す斜視図である。本実施形態では、たとえばキッチンユニットや洗面化粧台のベースキャビネットの垂れ幕板に取り付けられるダンパー機構に本発明を適用している。
【００１５】
図１（ａ）および（ｂ）を参照すると、ベースキャビネットＣの上側部分には引出し収納部１０が設けられ、引出し収納部１０の下方では把手１１ａを有する開き扉（両開き扉または片開き扉）１１が垂れ幕板１２に向かって閉じるように構成されている。本実施形態のダンパー機構１は、開き扉１１の上端部と垂れ幕板１２との間に介在し、スライド丁番（不図示）を用いる開き扉１１がスライド丁番の付勢力に抗して静かに閉まるように機能している。
【００１６】
本実施形態のダンパー機構１は、垂れ幕板１２の下端面に当接する形態を有し、垂れ幕板１２の後側面に取り付けられたブラケット１ａと、ブラケット１ａの前方部に取り付けられて前後方向（奥行き方向：ベースキャビネットＣの奥行き方向）に動作するダンパー（たとえばオイルダンパー、エアダンパーなど）１ｂとを備えている。ブラケット１ａは、図２に示すように、垂れ幕板１２の下端面に当接する水平部１ａａと、垂れ幕板１２の後側面に対向する直壁部１ａｂと、ダンパー１ｂを収容して保持する前方部１ａｃとにより一体的に構成されている。
【００１７】
なお、垂れ幕板１２の直壁部１ａｂには、幅方向（ベースキャビネットＣの幅方向）に間隔を隔てて一対のビス貫通用の孔１ａｄが形成されている。また、本実施形態のダンパー機構１は、垂れ幕板１２の直壁部１ａｂに嵌合して直壁部１ａｂの前方を覆うプレート部材１ｃを備えている。プレート部材１ｃには、幅方向に間隔を隔てて一対のビス貫通用の孔１ｃａが形成され、嵌合状態において直壁部１ａｂの一対のビス貫通用の孔１ａｄとプレート部材１ｃの一対のビス貫通用の孔１ｃａとが連通するように構成されている。
【００１８】
前方部１ａｃにダンパー１ｂが取り付けられたブラケット１ａは、図１（ｂ）に示すように、水平部１ａａが垂れ幕板１２の下端面に当接し且つ直壁部１ａｂに嵌合したプレート部材１ｃが垂れ幕板１２の後側面に当接した状態で、一対の孔１ａｄおよび１ｃａを貫通する一対のビスにより垂れ幕板１２の後側面に固定される。このブラケット１ａの取付け状態において、ダンパー１ｂを収容して保持する前方部１ａｃの前面は垂れ幕板１２の前面から僅かに前方へ突出し、垂れ幕板１２の下端前面に取り付けられたパッキング部材１３の前面が前方部１ａｃの前面から僅かに前方へ突出している。
【００１９】
こうして、本実施形態では、開き扉１１の上端部が垂れ幕板１２に向かって閉じるように把手１１ａを把持して開き扉１１をある程度押した後に把手１１ａから手を離しても、スライド丁番の付勢力により開き扉１１の上端部が垂れ幕板１２に向かって自動的に移動して接近する。やがて、最も大きく前方へ突出した状態にあるダンパー１ｂの先端部に開き扉１１の上端部が当接すると、スライド丁番の付勢力の方がダンパー１ｂの抵抗力よりもわずかに大きく設定されているので、いわゆるダンパー効果によりスライド丁番の付勢力に抗して開き扉１１が静かに閉まる。
【００２０】
また、開き扉１１が完全に閉まると、ダンパー１ｂの先端部が前方へ突出して復元しようとする復元力よりもスライド丁番の付勢力の方がわずかに大きく設定されているので、開き扉１１の上端部がパッキング部材１３およびダンパー１ｂの先端部に当接した平衡状態が得られる。次いで、把手１１ａを把持して開き扉１１を開けると、ダンパー１ｂの先端部が復元力により徐々に前方へ突出してやがて最も大きく前方へ突出した状態が、ひいては開き扉１１が再び閉められる際に上述のダンパー効果を十分に発揮することのできるダンパー１ｂの待機状態が得られる。
【００２１】
本実施形態では、キッチンユニットや洗面化粧台のベースキャビネットＣにおいて、開き扉１１の上端部と垂れ幕板１２との間に介在するダンパー機構１が、垂れ幕板１２の下端面に当接する形態を有し、垂れ幕板１２の後側面に取り付けられたブラケット１ａと、ブラケット１ａの前方部１ａｃに取り付けられて前後方向に動作するダンパー１ｂとを備えている。このように、本実施形態では、前後方向（奥行き方向）に動作するダンパー１ｂを保持して前後方向に比較的長い形態のブラケット１ａを、垂れ幕板１２の奥行き寸法の小さい下端面ではなく、取付けのための比較的広い領域が確保可能な垂れ幕板１２の後側面に取り付ける構成を採用している。
【００２２】
その結果、本実施形態のダンパー機構１（１ａ，１ｂ）では、垂れ幕板１２の後側面にブラケット１ａが安定的に且つ確実に取り付けられるので、たとえば従来技術における補強金物や取付け用の木片などの付設部材を全く用いることなく、簡素な構成にしたがってダンパー効果を安定的に且つ確実に発揮することができる。ちなみに、たとえばビスを用いて垂れ幕板１２の奥行き寸法の小さい下端面にブラケット１ａを取り付けようとすると、取付け時にあるいは使用時に垂れ幕板１２が破損する恐れが高く、垂れ幕板１２にブラケット１ａを安定的に且つ確実に取り付けられることが非常に困難である。
【００２３】
また、本実施形態では、垂れ幕板１２の厚さの変化にかかわらずダンパー１ｂの取付け位置（前方部１ａｃの前面）と垂れ幕板１２の前面との前後方向に沿った位置関係をほぼ一定に調整するための調整部材として、垂れ幕板１２の後側面とブラケット１ａとの間に介在するプレート部材１ｃを用いているので、たとえばベースキャビネットＣのタイプに応じて垂れ幕板１２の厚さ（すなわち奥行き寸法）が変化しても、異なる複数のタイプのダンパー機構１を使い分ける必要がなく、製造コストの低減および施工の簡略化などを図ることができる。
【００２４】
例えば、図３（ａ）に示すように垂れ幕板１２の厚さが１８ｍｍ（最大厚さ）の場合、垂れ幕板１２の後側面とブラケット１ａとの間に配置される調整用第１プレート部材１ｃ'の所要厚さは比較的小さい。一方、図３（ｂ）に示すように垂れ幕板１２の厚さが１５ｍｍの場合、垂れ幕板１２の後側面とブラケット１ａとの間に、調整用第１プレート部材１ｃ'よりも３ｍｍだけ厚い調整用第２プレート部材１ｃ''を配置することになる。ただし、図３（ａ）に示すように最大厚さを有する垂れ幕板１２の後側面にブラケット１ａの直壁部１ａｂの両端などが当接するような構成を採用すれば、最大厚さの垂れ幕板１２に対しては調整用プレート部材１ｃの配置を省略することもできる。
【００２５】
なお、上述の実施形態では、構成が簡素なタイプの調整部材として、垂れ幕板１２の後側面とブラケット１ａとの間に介在するプレート部材１ｃを用いている。しかしながら、これに限定されることなく、調整自由度が大きいタイプの調整部材を用いる変形例も可能である。図４は、調整自由度が大きいタイプの調整部材を用いる変形例にかかるダンパー機構の構成を概略的に示す斜視図である。また、図５は、図４の変形例にかかるダンパー機構が垂れ幕板に取り付けられた様子を概略的に示す図である。
【００２６】
図４および図５を参照すると、変形例にかかるダンパー機構２は、垂れ幕板１２の下端面に当接する第１ブラケット部材２ａと、垂れ幕板１２の後側面に当接する第２ブラケット部材２ｂと、第１ブラケット部材２ａの前方部２ａａに取り付けられて前後方向に動作するダンパー２ｃ（図４では不図示）とを備えている。なお、第１ブラケット部材２ａの水平部２ａｂには、幅方向に間隔を隔てて一対の円形状のボルト貫通孔２ａｃが形成されている。
【００２７】
一方、第２ブラケット部材２ｂの水平部２ｂａには、第１ブラケット部材２ａの一対のボルト貫通孔２ａｃに対応して、幅方向に間隔を隔てて一対のルーズホール２ｂｂが形成されている。ここで、一対のルーズホール２ｂｂは、奥行き方向に沿って細長く延びた貫通孔である。また、第２ブラケット部材２ｂの直壁部２ｂｃには、上述の実施形態と同様に、幅方向に間隔を隔てて一対のビス貫通用の孔２ｂｄが形成されている。
【００２８】
変形例では、第１ブラケット部材２ａの一対のボルト貫通孔２ａｃおよび第２ブラケット部材２ｂの一対のルーズホール２ｂｂを貫通する一対のボルト（厳密にはボルト・ナット締結手段）２ｄにより、第１ブラケット部材２ａと第２ブラケット部材２ｂとが連結される。このとき、連結部材としての一対のボルト２ｄと一対のルーズホール２ｂｂとの協働作用により、第１ブラケット部材２ａと第２ブラケット部材２ｂとの前後方向（奥行き方向）に沿った位置関係を調整しつつ第１ブラケット部材２ａと第２ブラケット部材２ｂとが連結される。
【００２９】
互いに連結されたブラケット（２ａ，２ｂ）は、第１ブラケット部材２ａの水平部２ａｂが垂れ幕板１２の下端面に当接し且つ第２ブラケット部材２ｂの直壁部２ｂｃが垂れ幕板１２の後側面に当接した状態で、一対の孔２ｂｄを貫通する一対のビスにより垂れ幕板１２の後側面に固定される。このように、変形例のダンパー機構２では、一対のボルト２ｄと一対のルーズホール２ｂｂとからなる調整部材の作用により、上述の実施形態よりも大きな調整自由度で、垂れ幕板１２の厚さの変化にかかわらずダンパー２ｃの取付け位置（前方部２ａａの前面）と垂れ幕板１２の前面との前後方向に沿った位置関係をほぼ一定に調整することができる。
【図面の簡単な説明】
【００３０】
【図１】本発明の実施形態にかかるダンパー機構がキャビネットの垂れ幕板に取り付けられた様子を概略的に示す図である。
【図２】本実施形態にかかるダンパー機構の構成を概略的に示す斜視図である。
【図３】垂れ幕板の厚さの変化に応じて調整用プレート部材の所要厚さが変化する様子を示す図である。
【図４】調整自由度が大きいタイプの調整部材を用いる変形例にかかるダンパー機構の構成を概略的に示す斜視図である。
【図５】図４の変形例にかかるダンパー機構が垂れ幕板に取り付けられた様子を概略的に示す図である。
【符号の説明】
【００３１】
１，２  ダンパー機構
１ａ  ブラケット
１ｂ，２ｃ  ダンパー
１ｃ  プレート部材
２ａ  第１ブラケット部材
２ｂ  第２ブラケット部材
２ｄ  ボルト
１０  引出し収納部
１１  開き扉
１２  垂れ幕板
１３  パッキング部材
Ｃ  ベースキャビネット
【図１】
2006063601.tif 000003
【図２】
2006063601.tif 000004
【図３】
2006063601.tif 000005
【図４】
2006063601.tif 000006
【図５】
2006063601.tif 000007